(57)【要約】      （修正有）【課題】画像表示部に直接接触しなくても確実に入力動作を行うことができる衛生的なエレベータの制御装置を提供する。【解決手段】エレベータの制御装置は、表側に開口面１９を有する制御箱１５と、制御箱１５内に配置されてエレベータの操作スイッチの画像１６を表示する画像表示部１８と、制御箱１５内に、開口面１９に対して１２〜４５度の範囲で傾斜して配置され、画像表示部１８に表示された操作スイッチの画像１６を、開口面１９上の若しくは開口面１９から突出した所定位置に空中表示する光学結像手段２０と、所定位置に配置され、空中表示された操作スイッチの画像１６Ａの指示手段２３による操作位置を検知する検知手段２４、２５とを有する。エレベータ室の画像表示部が表示する画像を空間に結像させて空間画像とし、指等の指示手段で指示される空間画像上の位置を検出する。【選択図】図２
0003229335.tif 000002
【実用新案登録請求の範囲】
【請求項１】
エレベータ室の内側及び外側のいずれか一方又は双方に設けて、エレベータの操作を行うエレベータの制御装置であって、
表側に開口面を有する制御箱と、該制御箱内に配置されて前記エレベータの操作スイッチの画像を表示する画像表示部と、前記制御箱内に、前記開口面に対して１２〜４５度の範囲で傾斜して配置され、前記画像表示部に表示された操作スイッチの画像を、前記開口面上の若しくは該開口面から突出した所定位置に空中表示する光学結像手段と、前記所定位置に配置され、空中表示された前記操作スイッチの画像の指示手段による操作位置を検知する検知手段とを有することを特徴とするエレベータの制御装置。
【請求項２】
請求項１記載のエレベータの制御装置において、前記開口面と前記光学結像手段とのなす角度は、１５〜３０度の範囲にあることを特徴とするエレベータの制御装置。
【請求項３】
請求項１又は２記載のエレベータの制御装置において、前記光学結像手段は垂直配置された前記制御箱内に垂直に配置されていることを特徴とするエレベータの制御装置。
【請求項４】
請求項１〜３のいずれか１項に記載のエレベータの制御装置において、前記画像表示部には照明手段が設けられ、前記操作スイッチが非作動状態と作動状態では該操作スイッチの発光色が異なることを特徴とするエレベータの制御装置。
【請求項５】
請求項１〜４のいずれか１項に記載のエレベータの制御装置において、前記検知手段は手前側と奥側に二段に渡って設けられ、手前側の前記検知手段は前記指示手段が前記操作スイッチのどの押しボタンを押したのかの検知を行い、奥側の前記検知手段は前記操作スイッチの過剰操作を検知することを特徴とするエレベータの制御装置。
【請求項６】
請求項１〜５のいずれか１項に記載のエレベータの制御装置において、前記光学結像手段は、それぞれ立設状態で隙間を有して平行配置された多数の帯状光反射面を備える第１、第２の光制御パネルを接合したものであることを特徴とするエレベータの制御装置。
【請求項７】
請求項６記載のエレベータの制御装置において、前記第１、第２の光制御パネルは、それぞれ第１の透明樹脂で形成された透明板材の一側に、傾斜面と垂直面を有する断面三角形の多数の溝が平行配置され、前記溝の前記垂直面に前記帯状光反射面となる鏡面を有して形成され、かつ前記第１、第２の光制御パネルは、前記溝の前記垂直面同士が平面視して直交するように向かい合わせて配置され、更に前記第１の透明樹脂の屈折率の０．９５〜１．０５倍の屈折率を有する第２の透明樹脂が前記溝に充填されて接合一体化されていることを特徴とするエレベータの制御装置。
【考案の詳細な説明】
【技術分野】
【０００１】
本考案は、エレベータ室の内側及び／又は外側に設けられた行先階の操作スイッチ（例えば、押しボタン）を非接触で操作できるエレベータの制御装置に関する。
【背景技術】
【０００２】
エレベータ室の内外にはエレベータが何階で止まるかを指示する操作スイッチ（押しボタン）が設けられ、使用者がエレベータに乗る前又は乗った後、押しボタンを指で押して行先階を決めている。この操作スイッチは不特定多数の者が接触するので、コロナウイルス等を含む病原体の接触感染の恐れがある。そこで、近年、特許文献１に記載のように、操作スイッチに対応する停止階数入力部として、指が挿入可能かつ内壁に接触することのない大きさの穴の内壁に付設された非接触センサースイッチを設けたエレベータが提案されている。
【０００３】
更に、特許文献２には、直交する第１、第２の微小反射面がそれぞれ同一平面上に多数立設して配置された上層レンズと下層レンズを備えた光学結像手段が開示され、特許文献３には、直交する第１、第２の微小反射面が同一平面上に多数立設して配置されたレンズを備えた光学結像手段が開示され、一側にあるディスプレイの画像を他側に表示することが開示されている。また、特許文献４、５には、立設状態で隙間を有して平行配置された多数の帯状光反射面を備える第１、第２の光制御パネルを、それぞれの帯状光反射面を平面視して直交させ、重ね合わせて配置した光学結像手段が開示されている。
【先行技術文献】
【特許文献】
【０００４】
【特許文献１】特開２００５−２５５２６０号公報
【特許文献２】ＣＮ２０７５０２７５８Ｕ
【特許文献３】ＣＮ２０７５０２７５９Ｕ
【特許文献４】ＷＯ２００９／１３１１２８
【特許文献５】ＷＯ２０１８／２２０８７６
【考案の概要】
【考案が解決しようとする課題】
【０００５】
ところが、特許文献１において、指の大きさは人によって異なり、穴の内壁に触れないようにして指を穴内に入れることは、難しいという問題があった。
また、特許文献２〜５には光学結像手段の原理が開示されているが、エレベータに用いることについて全く開示がない。これらの光学結像手段は一般的な原理を示すものであった。特許文献２〜５に記載の光学結像手段は通常水平に配置され、エレベータの操作スイッチに用いること等の記載はない。
【０００６】
本考案はかかる事情に鑑みてなされたもので、エレベータ室の表側及び／又は裏側に設置する画像表示部が表示する画像を空間に結像させて空間画像とし、指、指示棒、ペン等の指示手段で指示される空間画像上の位置を検出することにより、指示手段で画像表示部に直接接触しなくても確実に入力動作を行うことができる極めて衛生的なエレベータの制御装置を提供することを目的とする。
【課題を解決するための手段】
【０００７】
前記目的に沿う本考案に係るエレベータの制御装置は、エレベータ室の内側及び外側のいずれか一方又は双方に設けて、エレベータの操作を行うエレベータの制御装置であって、
表側に開口面を有する制御箱と、該制御箱内に配置されて前記エレベータの操作スイッチの画像を表示する画像表示部と、前記制御箱内に、前記開口面に対して１２〜４５度の範囲で傾斜して配置され、前記画像表示部に表示された操作スイッチの画像を、前記開口面上の若しくは該開口面から表側に突出した所定位置に空中表示する光学結像手段と、前記所定位置に配置され、空中表示された前記操作スイッチの画像の指示手段による操作位置を検知する検知手段とを有する。ここで、表側に開口面を有する制御箱とは、制御箱の表側に光を遮る物（例えば、蓋や壁等）がないことをいう。
【０００８】
本考案に係るエレベータの制御装置において、前記開口面と前記光学結像手段とのなす角度は、１５〜３０度の範囲にあるのが好ましい。これによってエレベータの制御装置を薄くすることができる。
【０００９】
また、本考案に係るエレベータの制御装置において、前記光学結像手段は垂直配置された前記制御箱内に垂直に配置されているのが好ましい。これによって、縦長の操作スイッチを容易に形成できる。なお、操作スイッチは横長であってもよい。
【００１０】
ここで、画像表示部としては平面ディスプレイが好適に用いられる。なお、平面ディスプレイとは、表示面が平面又は曲率半径の大きい部分球面になったものをいい、液晶、ＬＥＤ、プラズマ、有機ＥＬ等を含む。また、このようなディスプレイでなくても、画像として表示させたい表示物自体を発光させるか、光源から表示物の表面又は裏面に光を照射し、表示物の表面から反射する反射光又は透過光によって表示物を発光させることにより、表示物を画像表示部とし、表示物そのものの形状（色彩も含む）を画像として、空間画像を結像させることもできる。なお、画像表示部で表示する画像は平面的でも立体的でもよく、画像（表示物）が立体物であれば、空間画像は立体像となる。
また、前記画像表示部には照明手段が設けられ、前記操作スイッチが非作動状態にある場合と作動状態にある場合とでは該操作スイッチの発光色（例えば、赤、橙、緑、黄、白）が異なることが好ましい。
【００１１】
本考案に係るエレベータの制御装置において、前記検知手段は手前側と奥側に二段に渡って設けられ、手前側の前記検知手段は前記指示手段が前記操作スイッチのどの押しボタンを押したのかの検知を行い、奥側の前記検知手段は前記操作スイッチの過剰操作を検知するのが好ましい。検知手段は手前側と奥側に三段に渡って設けることもできる。
具体的な検知手段としては、指示手段による光線（レーザー光、赤外光等）の遮断を検知して指示手段の位置を特定するものが好適に用いられる。そして、枠体の外周部に、多数の発光部と受光部を対向配置し、発光部から発光される光線の光軸が、空間画像のＸＹ方向に沿うようにすれば、指示手段の位置を空間画像上のＸＹ座標として検出できる。この場合、枠体の背面に透明又は半透明の板材からなる保護部材を設けることもでき、これによって、指又はその他の指示手段の不用意な差し込みを防止できる。その他、検知手段として、赤外線カメラや可視光線カメラ等を利用できる。
【００１２】
本考案に係るエレベータの制御装置において、前記光学結像手段は、それぞれ立設状態で隙間を有して平行配置された多数の帯状光反射面を備える第１、第２の光制御パネルを、それぞれの帯状光反射面を平面視して直交させた状態で接合したものであってもよい（例えば、特許文献４参照）。
【００１３】
また、本考案に係るエレベータの制御装置において、前記第１、第２の光制御パネルは、それぞれ第１の透明樹脂で形成された透明板材の一側に、傾斜面と垂直面を有する断面三角形の多数の溝が平行配置され、前記溝の前記垂直面に前記帯状光反射面となる鏡面を有して形成され、かつ前記第１、第２の光制御パネルは、前記溝の前記垂直面同士が平面視して直交するように向かい合わせて配置され、更に前記第１の透明樹脂の屈折率の０．９５〜１．０５倍の屈折率を有する第２の透明樹脂が前記溝に充填されて接合一体化されている（例えば、特許文献５参照）ものであってもよい。
【考案の効果】
【００１４】
本考案に係るエレベータの制御装置は、空間内に結像する空間画像に、指等の指示手段で触れることにより、指示手段の位置を検知手段で検知して入力することができるので、画像表示部や操作スイッチ（画像）を構成する押しボタンの表面に使用者の指（指示手段の一例）等が間接的にも触れることがなく、病原体等の接触伝搬がない。また、操作スイッチの空中像に触れても、画像表示部及び光学結像手段を傷付けることはない。そして、空間内に独立して形成される空間画像からは反射光が発生しないので、視認性に優れる。更に、制御箱の開口面と光学結像手段のなす角度を４５度以下（例えば、１５〜３０度）とした場合は、画像表示部と制御箱の開口面とのなす角度が９０度以下となるので、画像表示部を適度な傾斜角度とすることで、制御箱をより薄く形成できる。
特に、光学結像手段を、特許文献５に記載のように、第１、第２の透明樹脂によって製造した場合は、比較的安価に量産が可能となる。
【図面の簡単な説明】
【００１５】
【図１】本考案の第１の実施の形態に係るエレベータの制御装置を用いるエレベータ室の平面図である。
【図２】同エレベータの制御装置の断面図である。
【図３】同エレベータの制御装置の正面図である。
【図４】同エレベータの制御装置の検知手段の説明図である。
【図５】（Ａ）、（Ｂ）は同エレベータの制御装置の光学結像手段の説明図である。
【図６】（Ａ）、（Ｂ）は本考案の第２の実施の形態に係るエレベータの制御装置の説明図である。
【考案を実施するための形態】
【００１６】
続いて、添付した図面を参照しながら、本考案を具体化した実施の形態について説明する。
図１に示すように、本考案の第１の実施の形態に係るエレベータの制御装置１０は、昇降するエレベータ室１１の内側１２及び外側１３のいずれか一方又は双方に設けて、エレベータの昇降操作を行う装置であり、図１〜図３に示すように、表側(正面側)に開口１４が形成された制御箱１５を使用している。そして制御箱１５内にはエレベータの操作スイッチの画像１６を表示する画像表示部１８と、開口１４の開口面１９とは１２〜４５度（角度αとする）の範囲で傾斜して配置され、画像表示部１８に表示された操作スイッチの画像１６を、開口面１９上の若しくは開口面１９から表側に突出した所定位置に操作スイッチの実像（画像）１６Ａとして空中表示する光学結像手段２０を有している。この実施の形態では開口面１９からｈだけ突出した位置に操作スイッチの実像１６Ａを結像させている。なお、操作スイッチの実像１６Ａと開口面１９は平行となるので、光学結像手段２０と操作スイッチの実像１６Ａのなす角度もαとなる。
【００１７】
この光学結像手段２０は、垂直配置された制御箱１５内に平面視して斜めに傾けた状態で垂直に配置され、画像表示部１８と開口面１９とのなす角度の半分に設定され、開口１４の中央でかつ開口面１９に平行に操作スイッチの実像１６Ａが表示される。画像表示部１８に表示される操作スイッチの画像１６と開口面１９に平行に表示される操作スイッチの実像１６Ａは光学結像手段２０を中心に対称に形成される。従って角度αを小さく（例えば、１５〜３０度、より好ましくは１４〜２５度）すると制御箱１５の厚みＴが薄くなり、装置の小型化ができる。
【００１８】
画像表示部１８は液晶、ＬＥＤ，有機ＬＥＤ等が好ましく、この場合、画像は自由に設定できるが、操作スイッチの画像１６を、シートに記載した操作スイッチの絵、又は半透明のシートに記載した操作スイッチの絵として、正面又は裏面側に照明手段を配置することもできる。この場合、操作スイッチが非作動状態にある場合と作動状態にある場合とで操作スイッチの発光色（例えば、赤、橙、緑、黄、白から選ばれる）を変えることもできる。
【００１９】
なお、この実施の形態において、図３に示すように、操作スイッチの実像１６Ａを形成する複数の押しボタンの空中像１６ｂはお互い隙間を有して、かつ正面視して一つの大きなフレーム２１内にそれぞれ形成されている。図３に示すように、この実施の形態においては、操作スィッチの実像１６Ａとして、１階から１２階の行先階を表示する押しボタンの空中像１６ｂの他に、開口１４内にそれぞれ隙間を有して配置され、ドアの開及び閉を行うスイッチの空中像１６ｃ、１６ｄも操作スイッチの実像１６Ａの一部として、開口面１９から突出した所定位置に表示されている。
【００２０】
制御箱１５の開口１４の外側には操作スイッチの実像１６Ａ（以下、単に「操作スイッチ１６Ａ」とも言う）を操作した指（指示手段の一例）２３の位置を検知する第１、第２の検知手段２４、２５が設けられている。開口１４を正面視して、第１の検知手段２４は手前側に、第２の検知手段２５は奥側に配置されている。この検知手段２４、２５は周知構造であって、図４に示すように、小ピッチで配置された多数の発光部２６と受光部２７を対向配置したものであり、発光部２６から発光される光線（例えばレーザー光、赤外光、紫外光等）の光軸が、操作スイッチ１６ＡのＸ（横）Ｙ（縦）方向に沿うように格子状に配置される。このとき、発光部２６から発光される光線が形成する格子面（検知面）は平面となる。これによって、操作者が操作スイッチ１６Ａを押すと発光部２６から発光される光線を横切るので、操作スイッチ１６Ａを押した指２３の位置を検知して、希望する階、又はドアの開閉を検知できる。第１、第２の検知手段２４、２５には、制御箱１５に形成された開口１４と同一寸法の開口２８が設けられている。押した指２３の位置は遮った光線のＸ軸及びＹ軸の中央位置２９を計算して対応する階数（例えば、１〜１２）の出力値とする。
【００２１】
なお、発光部２６からの光線は殺菌性を有する紫外線とすることが好ましく、これにより仮に病原体（菌、ウイルスを含む）が侵入又は付着しても消毒することができる。この場合、外部に漏れないように、発光部２６の位置を決めるか、適当なカバーを用いる。
また、操作スイッチ１６Ａの動作を確認するのみであれば、第２の検知手段２５を省略して、第１の検知手段２４のみとすることもできる。第２の検知手段２５も設ける場合は、指の押し過ぎ（過剰操作）を検知して、確実に検知手段を押したことの確認用に使用できる。検知手段としてデジタルカメラ等を使用して指の位置を確認することもできる。
なお、第２の検知手段が作動した場合はランプの発光、又はブザー音を発することもできる。
【００２２】
次に、光学結像手段２０の構成及び作用について、図５（Ａ）、（Ｂ）を参照しながら説明する。
立設状態で隙間を有して平行配置された複数の光反射面（帯状光反射面）３０を有する第１の光制御パネル３１と、立設状態で隙間を有して平行配置された複数の光反射面（帯状光反射面）３２を有する第２の光制御パネル３３を有し、それぞれの光反射面３０、３２が平面視して直交するように第１、第２の光制御パネル３１、３３が、厚さ方向に重ね合わされて配置（接合一体化）されたものである。
第１の光制御パネル３１は、第１の透明樹脂で形成された第１の透明板材３４の一側に、傾斜面３５と垂直面３６とを有する断面三角形の複数の溝３７、及び隣り合う溝３７の間に形成される断面三角形の複数の凸条３８がそれぞれ所定ピッチで平行配置されたものであり、それぞれの溝３７の垂直面３６に鏡面（金属反射面）からなる光反射面３０が形成されている。なお、溝３７の底部（傾斜面３５の下端と垂直面３６の下端との間）、及び凸条３８の頂部（傾斜面３５の上端と垂直面３６の上端との間）には、角部又は円弧部が形成されている。
【００２３】
また、第２の光制御パネル３３は、第１の透明樹脂で形成された第２の透明板材４１の他側に、傾斜面４２と垂直面４３とを有する断面三角形の複数の溝４４、及び隣り合う溝４４の間に形成される断面三角形の複数の凸条４５がそれぞれ所定ピッチで平行配置されたものであり、それぞれの溝４４の垂直面４３に鏡面（金属反射面）からなる光反射面３２が形成されている。なお、溝４４の底部（傾斜面４２の下端と垂直面４３の下端との間）、及び凸条４５の頂部（傾斜面４２の上端と垂直面４３の上端との間）には、角部又は円弧部が形成されている。
【００２４】
そして、向かい合わせに配置された溝３７、４４には第２の透明樹脂４８が充填されている。
なお、溝３７、４４に充填される透明樹脂４８の屈折率η２は、第１、第２の透明板材３４、４１（第１の透明樹脂）の屈折率η１の０．９〜１．１倍、更に好ましくは、０．９５〜１．０５の範囲にあることが好ましい。
第１、第２の透明板材３４、４１の原料となる第１の透明樹脂としては、シクロオレフィンポリマー、ポリメチルメタルクレート（アクリル系樹脂）、非晶質フッ素樹脂、ＰＭＭＡ、光学用ポリカーボネイト、フルオレン系ポリエステル、ポリエーテルスルホン等の熱可塑性樹脂を使用することができるが、特に融点、透明度の高いものが好適に用いられる。
【００２５】
鏡面（金属反射面）を形成する方法としては、溝３７、４４の垂直面３６、４３に直接、スパッタリング、金属蒸着、金属微小粒子の吹き付け、イオンビームの照射、金属ペーストの塗布等を行うものが好適に用いられるが、スパッタリングや金属蒸着等で反射膜を形成した樹脂フィルムを溝３７、４４の垂直面３６、４３に貼り付けてもよい。なお、溝３７、４４の垂直面３６、４３に直接、スパッタリング、金属蒸着、金属微小粒子の吹き付け、イオンビームの照射等を行う場合は、真空中又は低圧下で、傾斜面３５、４２に沿った方向から、かつ照射する金属粒子が傾斜面３５、４２に当たらないように、斜め上方から垂直面３６、４３に向けて金属粒子を照射する。そして、垂直面３６、４３の下端まで斑なく金属粒子を照射することができる。なお、溝３７、４４の傾斜面３５、４２は平面状に形成する代わりに、凸条３８、４５の内側に窪む断面多角形状の多角面や断面円弧状の凹面、或いは表面に多数の微小な凹凸（疵）を有する凹凸面として、金属粒子の付着を防止してもよい。
【００２６】
溝３７、４４に透明樹脂４８を充填して第１、第２の光制御パネル３１、３３を一体化する方法としては、第１の光制御パネル３１の一側と、第２の光制御パネル３３の他側、つまり、それぞれの溝３７、４４が形成された側の面が対向するように向かい合わせに配置された状態で、その間に、第１、第２の透明板材３４、４１より融点が低いシート状の透明樹脂を挟み込み、真空状態で加熱、押圧して、透明樹脂のみを溶解し、固化させてもよいし、それぞれの溝３７、４４に別々に透明樹脂からなる透明接着剤を充填し、第１、第２の光制御パネル３１、３３の溝３７、４４を向かい合わせ、突き合わせて、透明接着剤を硬化させてもよい。透明接着剤としては、紫外線等を照射することにより硬化する光硬化型の他、熱硬化型や二液混合型の接着剤を用いることができる。特に、屈折率η３を屈折率η１、η２に近づけるために、屈折率η３を調整した屈折率調整樹脂からなる光学用接着剤等が好適に用いられる。
なお、図５において、Ｌ１、Ｐ１〜Ｐ４、Ｑ１、Ｓ１は、光学結像手段２０に入光してＰ２、Ｐ３で反射し出光する光を示す。
以上の光学結像手段２０は、ＷＯ２０１８／２２０８７６号（特許文献５）に記載されているが、ＷＯ２００９／１３１１２８号（特許文献４）記載の光学結像手段を使用することもできる。
【００２７】
次にエレベータの制御装置１０の動作について説明する。このエレベータの制御装置１０を使用するエレベータは各階の指定、ドアの開閉等を入力とする主制御装置を有し、エレベータの制御装置１０と主制御装置は連携して動作する。エレベータの電源を投入すると、主制御装置は、エレベータ室１１が止まっている階を認識すると共に、画像表示部１８に操作スイッチの画像１６を表示し、光学結像手段２０を介して制御箱１５の開口面１９の前方に複数の押しボタンの空中像１６ｂを含む操作スイッチの実像（空間画像）１６Ａを表示する。この操作スイッチ１６Ａが表示された状態で待機状態（初期状態）となる。
【００２８】
この状態で、指２３で操作スイッチ１６Ａのいずれかを押すと、押した指２３の位置を第１の検知手段２４で検知、指２３のＸ座標及びＹ座標の位置を測定して、対応する操作スイッチ１６Ａを検出し、エレベータの主制御装置に送る。
【００２９】
続いて、図６（Ａ）、（Ｂ）に示す本考案の第２の実施の形態に係るエレベータの制御装置５０について説明する。このエレベータの制御装置５０はエレベータ室１１の内側１２及び外側１３の一方又は双方（図１参照）に設けられ、表側に開口面５１を有する制御箱５２と、制御箱５２内に配置されてエレベータの操作スイッチの画像５３を表示する画像表示部５４と、制御箱５２内に、開口面５１に対して１２〜４５度の範囲で傾斜して配置され、操作スイッチの画像５３を、開口５１面上の若しくは開口面５１から表側に突出した位置に空中表示する光学結像手段５５と、空中表示された操作スイッチの実像５３ａ（空中像）の指２３による操作位置を検知する検知手段５６とを有する。このエレベータの制御装置５０は前記実施の形態に係るエレベータの制御装置１０と実質的に同一であるが、操作スイッチがドアの開閉を行う押しボタン（スイッチ）である点が異なる。
【００３０】
以上、１４及び２の押しボタンを設けた操作スイッチを有する場合について説明したが、本考案は操作スイッチの数や用途（例えば、非常電話のマーク）によって限定されない。また１の開口内に全ての押しボタンを表示してもよいし、複数の開口にそれぞれ、押しボタンを設けてもよい。
【符号の説明】
【００３１】
１０：エレベータの制御装置、１１：エレベータ室、１２：内側、１３：外側、１４：開口、１５：制御箱、１６：操作スイッチの画像、１６Ａ：操作スイッチの実像、１６ｂ：押しボタンの空中像、１６ｃ、１６ｄ：スイッチの空中像、１８：画像表示部、１９：開口面、２０：光学結像手段、２１：フレーム、２３：指、２４、２５：検知手段、２６：発光部、２７：受光部、２８：開口、２９：中央位置、３０：光反射面、３１：第１の光制御パネル、３２：光反射面、３３：第２の光制御パネル、３４：第１の透明板材、３５：傾斜面、３６：垂直面、３７：溝、３８：凸条、４１：第２の透明板材、４２：傾斜面、４３：垂直面、４４：溝、４５：凸条、４８：透明樹脂、５０：エレベータの制御装置、５１：開口面、５２：制御箱、５３：操作スイッチの画像、５３ａ：操作スイッチの実像、５４：画像表示部、５５：光学結像手段、５６：検知手段
【図１】
0003229335.tif 000003
【図２】
0003229335.tif 000004
【図３】
0003229335.tif 000005
【図４】
0003229335.tif 000006
【図５】
0003229335.tif 000007
【図６】
0003229335.tif 000008